(57)【要約】【課題】送信電力制御を適正化することを可能とする。【解決手段】受信ＳＩＲ判定部３１ａは、受信信号に関する受信ＳＩＲをスロット毎に判定する。目標ＳＩＲ設定部３１ｂは、受信エラーレートに基づいて目標ＳＩＲを可変設定する。収束監視部３１ｃは、受信ＳＩＲを１スロットに相当する期間よりも長い期間において平均化した平均ＳＩＲと目標ＳＩＲとの差分値に基づいて、受信ＳＩＲが目標ＳＩＲに収束できない未収束状態にあるか否かを監視する。補正値決定部３１ｄは、未収束状態であることが検出されているときに、上記の差分値に基づいて定まる補正値を出力する。加算部３１ｅは、目標ＳＩＲを補正値により補正する。比較部３１ｆは、受信ＳＩＲと加算部３１ｅから出力される目標ＳＩＲと比較する。ＴＰＣ情報生成部３１ｇは、比較部３１ｆの比較結果に応じたＴＰＣ情報を出力する。【選択図】    図２
2004242148.tif 000002
【特許請求の範囲】
【請求項１】
ＣＤＭＡ方式の無線通信装置にて受信された受信信号に基づいてその無線通信装置の通信相手における適切な送信電力を示す送信電力情報を生成する送信電力情報生成モジュールにおいて、
前記受信信号の誤り率に基づいてＳＩＲ（受信信号電力対干渉電力比）の目標値を決定する決定手段と、
前記受信信号に関するＳＩＲを所定の判定周期で判定するＳＩＲ判定手段と、
判定された前記ＳＩＲが決定された前記目標値に前記判定周期よりも長い期間内に収束しない未収束状態を検出する検出手段と、
前記未収束状態が検出されたことに応じて前記目標値を補正する補正手段と、
この補正手段の出力値と判定された前記ＳＩＲとに基づいて送信電力情報を生成する生成手段とを具備したことを特徴とする送信電力情報生成モジュール。
【請求項２】
前記検出手段は、
前記所定期間に前記ＳＩＲ判定手段により判定されるＳＩＲの平均値を算出する平均算出手段と、
算出された前記平均値と決定された前記目標値との差分値を算出する差分算出手段と、
算出された前記差分値が閾値以上である場合に前記未収束状態であると判定する判定手段とを具備することを特徴とする請求項１に記載の送信電力情報生成モジュール。
【請求項３】
前記検出手段は、
判定された前記ＳＩＲと決定された前記目標値との差分値を算出する差分算出手段と、
算出された前記差分値が第１の閾値以上となる頻度を測定する頻度測定手段と、
測定された前記頻度が第２の閾値以上となったときに前記未収束状態であると判定する判定手段とを具備することを特徴とする請求項１に記載の送信電力情報生成モジュール。
【請求項４】
前記補正手段は、前記未収束状態が検出されなかった過去の期間に決定された前記目標値に基づいて補正値を決定し、新たに決定された前記目標値を前記補正値に置き換えることを特徴とする請求項１に記載の送信電力情報生成モジュール。
【請求項５】
ＣＤＭＡ方式の無線通信システムで使用される無線通信装置において、
ＣＤＭＡ方式の無線信号から所定のチャネルの信号を受信する受信手段と、
受信された前記信号の誤り率に基づいてＳＩＲ（受信信号電力対干渉電力比）の目標値を決定する決定手段と、
受信された前記信号に関するＳＩＲを所定の判定周期で判定するＳＩＲ判定手段と、
判定された前記ＳＩＲが決定された前記目標値に前記判定周期よりも長い所定の期間内に収束しない未収束状態を検出する検出手段と、
前記未収束状態が検出されたことに応じて前記目標値を補正する補正手段と、
この補正手段の出力値と判定された前記ＳＩＲとに基づいて送信電力情報を生成する生成手段と、
生成された前記送信電力情報を前記無線信号を送信している装置へ送信する送信手段とを具備したことを特徴とする無線通信装置。
【発明の詳細な説明】
【０００１】
【発明の属する技術分野】
本発明は、ＣＤＭＡ移動通信システムのようなＣＤＭＡ方式の無線通信システムで用いられる無線通信装置と、この無線通信装置にて通信相手における適切な送信電力を示す送信電力情報を生成する送信電力情報生成モジュールに関する。
【０００２】
【従来の技術】
ＣＤＭＡ方式を実用化する際の課題として遠近問題が知られている。この遠近問題を解決する技術としては、例えば特許文献１が知られている。
【０００３】
特許文献１には、下り送信電力を基地局と移動局との間でのクローズドループにより制御する技術が開示されている。このような送信電力制御を実現するために移動局は、下り送信電力の増減を要求するＴＰＣ情報をスロット毎に生成し、このＴＰＣ情報を基地局へ送る。基地局は、ＴＰＣ情報に基づいて下り送信電力を増減する。
【０００４】
移動局は、受信信号に関する受信信号電力対干渉電力比（以下、受信ＳＩＲと称する）をスロット毎に判定する。そして移動局は、この受信ＳＩＲを予め設定したＳＩＲの目標値（以下、目標ＳＩＲと称する）に近づけるようにＴＰＣ情報を生成する。
【０００５】
目標ＳＩＲは、所要エラーレートを満足させるのに必要なＳＩＲである。この所要エラーレートを満足させるのに必要なＳＩＲは、伝送路状況に応じて変動する。このため移動局はエラーレートを測定して、このエラーレートが所要エラーレートに近づくように目標ＳＩＲを変化させる。
【０００６】
【特許文献１】
特開２００１−３１３６０５
【０００７】
【発明が解決しようとする課題】
一時的な伝送路品質の劣化に伴うバーストエラーが発生するような状況にあっては、基地局にて下り送信電力が増加されても、移動局での受信ＳＩＲの回復が期待できない。しかしながら上述のような構成をとる場合、エラーレートの悪化に伴って目標ＳＩＲが高めに設定されるため、移動局は下り送信電力の増加を要求するＴＰＣ情報を送信し続けるおそれがある。この場合、移動局が基地局へと下り送信電力の増加を過度に要求してしまうことになり、適正な送信電力制御が行われないこととなる。
【０００８】
本発明はこのような事情を考慮してなされたものであり、その目的とするところは、送信電力制御を適正化することを可能とする送信電力情報生成モジュールおよび無線通信装置を提供することにある。
【０００９】
【課題を解決するための手段】
以上の目的を達成するために本発明は、受信信号に関して所定の判定周期で判定したＳＩＲが、前記受信信号の誤り率に基づいて決定したＳＩＲの目標値に前記判定周期よりも長い期間内に収束しない未収束状態となったことを検出した場合に、前記目標値を補正し、この補正された目標値と判定されたＳＩＲとに基づいて送信電力情報を生成することとした。
【００１０】
このような手段を講じたことにより、実際のＳＩＲが目標値に追従することができない状況となった場合には、受信信号の誤り率に基づいて決定した目標値ではなく補正された目標値と判定されたＳＩＲとに基づいて送信電力情報が生成される。従って、送信電力情報を常に適正な目標値に基づいて生成することができる。
【００１１】
【発明の実施の形態】
以下、図面を参照しながら本発明の実施形態につき説明する。
【００１２】
（第１の実施形態）
図１は第１の実施形態に係る無線通信装置の構成を示すブロック図である。第１の実施形態の無線通信装置は、３ＧＰＰ（３ｒｄ  Ｇｅｎｅｒａｔｉｏｎ  Ｐａｒｔｎｅｒｓｈｉｐ  Ｐｒｏｊｅｃｔ）にて規定されたＷ−ＣＤＭＡ方式に準拠する移動無線通信システムにて移動局として使用される。
【００１３】
図１に示すように第１の実施形態の無線通信装置は、アンテナ１、ＲＦ部２、ＣＤＭＡ処理部３、圧縮伸長部４、Ａ／Ｄ・Ｄ／Ａ変換部５、通話部６、ユーザインタフェース部７、記憶部８および主制御部９を含む。通話部６は、アンプ６ａ、スピーカ６ｂ、マイクロホン６ｃおよびアンプ６ｄを含む。ユーザインタフェース部７は、表示部７ａおよび入力部７ｂを含む。
【００１４】
図示しない基地局から送信された無線信号は、アンテナ１で受信されたのちＲＦ部２に入力される。ＲＦ部２は、アンテナ１の出力信号の周波数帯域を所定のキャリア周波数にてベースバンド帯域もしくは中間周波数帯域に変換する。ＲＦ部２は、周波数変換された信号の帯域幅を所定の帯域幅にて制限するようフィルタリングする。ＲＦ部２は、フィルタリングされた信号を所定レベルまで増幅する。所定レベルは、予め定められたビット数のディジタル信号に変換するのに必要なレベルである。これらの処理が施された信号は、ＲＦ部２からＣＤＭＡ処理部３へ入力される。
【００１５】
ＣＤＭＡ処理部３は、ＲＦ部２の出力信号に対し、Ａ／Ｄ変換、逆拡散、直交復調、デインタリーブ、誤り訂正、ならびに誤り検出を順次行う。そしてＣＤＭＡ処理部３は、これらの処理の結果として受信データを出力する。
【００１６】
圧縮伸長部４は、ＣＤＭＡ処理部３から出力された受信データに対し、主制御部９から通知される受信データレートに応じた伸長処理を施し、ベースバンドの音声データを再生する。圧縮伸長部４は、上記音声データをＡ／Ｄ・Ｄ／Ａ変換部５へ与える。
【００１７】
Ａ／Ｄ・Ｄ／Ａ変換部５は、上記音声データをＤ／Ａ変換して音声信号を得る。この音声信号は、アンプ６ａで増幅されたのち、スピーカ６ｂより音声として出力される。
【００１８】
話者が発した音声は、マイクロホン６ｃにより音声信号に変換される。この音声信号は、アンプ６ｄに入力される。音声信号は、アンプ６ｄにより適正レベルまで増幅されたのち、Ａ／Ｄ・Ｄ／Ａ変換部５へと与えられる。
【００１９】
Ａ／Ｄ・Ｄ／Ａ変換部５は、上記音声信号に対してＡ／Ｄ変換処理を施し、音声データを得る。Ａ／Ｄ・Ｄ／Ａ変換部５は、この音声データを圧縮伸長部４に与える。
【００２０】
圧縮伸長部４は、上記音声データを上記データレートに応じたフォーマットをなす信号とするべくＡＭＲ方式により圧縮する。
【００２１】
ＣＤＭＡ処理部３は、圧縮伸長部４から出力されるデータに対し、誤り訂正符号化、インタリーブ、直交変調、スペクトラム拡散、ならびにＤ／Ａ変換を順次行う。ＣＤＭＡ処理部３は、基地局へと送るべき各種の制御情報を信号中に挿入する処理も行う。上記制御情報には、ＴＰＣ情報も含む。そしてＣＤＭＡ処理部５は、これらの処理の結果としてベースバンド帯域もしくは中間周波数帯域の信号を出力する。
【００２２】
ＲＦ部２は、ＣＤＭＡ処理部３の出力信号の周波数帯域を所定のキャリア周波数にて無線周波帯域に変換する。ＲＦ部２は、周波数変換された信号の帯域幅を所定の帯域幅にて制限するようフィルタリングする。ＲＦ部２は、フィルタリングされた信号を所定レベルまで増幅する。所定レベルは、無線送信するために必要なレベルである。これらの処理が施された信号は、ＲＦ部２からアンテナ１へ供給され、電波として放射される。
【００２３】
表示部７ａは、ＬＣＤ（ｌｉｑｕｉｄ  ｃｒｙｓｔａｌ  ｄｉｓｐｌａｙ）またはＬＥＤ（ｌｉｇｈｔ  ｅｍｉｔｔｉｎｇ  ｄｉｏｄｅ）等を含む。表示部７ａは、これらＬＣＤまたはＬＥＤを用いて、通信相手の端末の電話番号および着信状態などのような自端末の動作状態をはじめ、ＷＥＢサイトからのダウンロード情報、送受信メール、動画像、図示しないバッテリのＤｉｓｃｈａｒｇｅ状態等を表示する。入力部７ｂは、各種のキーを含む。入力部７ｂは、これらのキーの押下による使用者指示を入力する。
【００２４】
記憶部８は、例えばＲＯＭ、ＤＲＡＭ（ｄｙｎａｍｉｃ  ＲＡＭ）、ＳＲＡＭ（ｓｔａｔｉｃ  ＲＡＭ）、あるいはフラッシュメモリなどを適宜含む。この記憶部８は、主制御部９用の動作プログラムを記憶する。また記憶部８は、各種の設定情報や各種の受信データ、あるいは本装置で作成された各種のデータなど、さまざまなデータを記憶する。
【００２５】
主制御部９は、記憶部８に記憶されている動作プログラムに基づくソフトウェア処理により各部の制御処理を行うことで、無線通信装置としての動作を実現する。
【００２６】
ところでＣＤＭＡ処理部３には、ＴＰＣモジュール３１が設けられている。このＴＰＣモジュール３１は、下り送信電力制御のためのＴＰＣ情報を生成するモジュールである。
【００２７】
図２はＴＰＣモジュール３１の構成を示すブロック図である。
図２に示すようにＴＰＣモジュール３１は、受信ＳＩＲ判定部３１ａ、目標ＳＩＲ設定部３１ｂ、収束監視部３１ｃ、補正値決定部３１ｄ、加算部３１ｅ、比較部３１ｆおよびＴＰＣ情報生成部３１ｇを含む。
【００２８】
相関器３２の出力信号が受信ＳＩＲ判定部３１ａへ入力される。復号器３３の出力信号が目標ＳＩＲ設定部３１ｂへ入力される。相関器３２および復号器３３は、ＣＤＭＡ処理部３に含まれる。
【００２９】
相関器３２は、前述の逆拡散を行う。具体的には、相関器３２には、所定ビット数にてディジタル化された信号が入力される。相関器３２は、周知のセルサーチ処理により予め特定された受信タイミングにて再生された拡散符号系列を用いて上記入力される信号を逆拡散する。なお図示は省略しているが、ＣＤＭＡ処理部３には複数の相関器３２が含まれる。
【００３０】
復号器３３は、前述の直交復調、デインタリーブ、誤り訂正、ならびに誤り検出を行う。具体的には、復号器３３には、複数の相関器３２の出力信号がそれぞれ入力される。復号器３３は、この複数の相関器３２の出力信号を、マルチパスによる遅延分散を補正した後に合成する。復号器３３は、合成された信号を、ＩＱ平面におけるビット判定により「１」もしくは「０」の２値情報に変換する。さらに復号器３３は、周知の処理によりインタリーブ、誤り訂正、ならびに誤り検出を行い、受信データおよび受信ＣＲＣ情報を出力する。
【００３１】
受信ＳＩＲ判定部３１ａは、複数の相関器３２のそれぞれの出力信号に基づき、受信信号の個別チャネルに関する受信ＳＩＲをスロット（送信電力制御の周期）毎に判定する。
【００３２】
目標ＳＩＲ設定部３１ｂは、復号器３３から出力される受信ＣＲＣ情報に基づいて受信エラーレートを推定する。目標ＳＩＲ設定部３１ｂは、上記の推定した受信エラーレートと通信開始にあたり予め網側により指定される目標エラーレートとを比較し、受信エラーレートが目標エラーレートに近づくような値として目標ＳＩＲを可変設定する。
【００３３】
収束監視部３１ｃは、受信ＳＩＲを１スロットに相当する期間よりも長い期間において平均化し、平均ＳＩＲを算出する。収束監視部３１ｃは、上記平均ＳＩＲと目標ＳＩＲとの差分値を算出する。収束監視部３１ｃは、上記差分値に基づいて、受信ＳＩＲが目標ＳＩＲに収束できない状態（以下、未収束状態と称する）にあるか否かを監視する。そして収束監視部３１ｃは、未収束状態であることを検出した場合に、補正値決定部３１ｄに補正値の出力を指示する。このときに収束監視部３１ｃは、差分値を補正値決定部３１ｄへ通知する。
【００３４】
補正値決定部３１ｄは、上記の指示に応じて補正値の出力を開始する。補正値決定部３１ｄは、差分値に基づいて補正値を決定する。
【００３５】
加算部３１ｅは、目標ＳＩＲに補正値を加算することで、目標ＳＩＲを補正値により補正する。加算部３１ｅは、補正後の目標ＳＩＲを出力する。
【００３６】
比較部３１ｆは、受信ＳＩＲを加算部３１ｅから出力される目標ＳＩＲと比較する。比較部３１ｆは、上記の比較の結果を「０」もしくは「１」の２値情報として出力する。
【００３７】
ＴＰＣ情報生成部３１ｇは、比較部３１ｆの出力信号を、上り信号の制御情報中にマッピングするためのＴＰＣ情報に変換する。
【００３８】
次に以上のように構成された第１の実施形態の無線通信装置の動作につき説明する。なお、Ｗ−ＣＤＭＡ方式に準拠する移動無線通信システムにおける移動局としての一般的な動作は既存の移動局と同様であるので、その説明は省略する。ここでは、ＴＰＣモジュール３１にてＴＰＣ情報を生成する動作について詳しく説明する。
【００３９】
図３はＴＰＣモジュール３１の各部の入出力信号の一例を示す図である。
図３において符号１１を付した波形は、目標ＳＩＲ設定部３１ｂへ入力される受信ＣＲＣ情報が示すＣＲＣエラー数を時系列で表わす。符号１２を付した波形は、目標ＳＩＲ設定部３１ｂが出力する目標ＳＩＲの変化を表わす。符号１３を付した実線で示される波形は、受信ＳＩＲ判定部３１ａから出力される受信ＳＩＲの変化を表わす。符号１４を付した破線で示される波形は、収束監視部３１ｃにて算出される平均ＳＩＲの変化を表わす。符号１５を付した波形は、収束監視部３１ｃにて算出される差分値の変化を表わす。符号１６を付した波形は、補正値決定部３１ｄから出力される補正値の変化を表わす。符号１７を付した波形は、加算部３１ｅから出力される補正後の目標ＳＩＲの変化を表わす。
【００４０】
図３において、目標ＳＩＲ設定部３１ｂが目標ＳＩＲの設定を行うタイミングが時刻Ｔ１，Ｔ２，Ｔ３，Ｔ４である。目標ＳＩＲ設定部３１ｂが目標ＳＩＲの設定を行う周期は、目標ＳＩＲの設定アルゴリズムに従った妥当なものであれば良く、図３に示す例のような周期性を有していなくても良い。なお、波形１１と波形１２との間には本来は遅延時間が含まれるが、図３においては説明の簡略化のために遅延なしとして示している。
【００４１】
例えば図３における期間ＴＡのように、補正値決定部３１ｄは通常は補正値を「０」としている。従ってこのときには、目標ＳＩＲ設定部３１ｂが出力する目標ＳＩＲがそのまま比較部３１ｆへ入力される。このため、比較部３１ｆおよびＴＰＣ情報生成部３１ｇにより、受信ＳＩＲ判定部３１ａにより判定された受信ＳＩＲと目標ＳＩＲ設定部３１ｂにより設定された目標ＳＩＲとの大小関係に基づいて従来と同様にしてＴＰＣ情報が生成される。
【００４２】
図３における時刻Ｔ１においては、ＣＲＣエラー数の変動に伴って目標ＳＩＲ設定部３１ｂが設定する目標ＳＩＲが増加する。しかし、このときの目標ＳＩＲの変化量は小さいので、期間ＴＢにおいては上述のように従来と同様にして生成されるＴＰＣ情報に基づいて下り送信電力が変化されることで受信ＳＩＲが目標ＳＩＲに追従する。そしてこのような状態においては、平均ＳＩＲと目標ＳＩＲとの差分値は小さい。そこで収束監視部３１ｃは、平均ＳＩＲと目標ＳＩＲとの差分値が閾値未満であるならば、受信ＳＩＲが目標ＳＩＲに追従していると判断する。そしてこの場合に収束監視部３１ｃは、補正値決定部３１ｄに対して補正値の出力を指示しない。
【００４３】
図３における時刻Ｔ２においては、ＣＲＣエラー数の急激な変動に伴って目標ＳＩＲ設定部３１ｂが設定する目標ＳＩＲが大幅に増加する。そして期間ＴＣにおいて、受信ＳＩＲは目標ＳＩＲに追従し切れておらず、平均ＳＩＲは目標ＳＩＲよりも大幅に低くなってしまっている。このような状態においては、平均ＳＩＲと目標ＳＩＲとの差分値としてΔＰが生じる。そこで収束監視部３１ｃは、この差分値ΔＰが閾値以上であるならば、受信ＳＩＲが目標ＳＩＲに追従していないと判断する。そしてこの場合に収束監視部３１ｃは、補正値決定部３１ｄに対して補正値の出力を指示する。またこのときに収束監視部３１ｃは、差分値ΔＰを補正値決定部３１ｄへ通知する。この指示を受けて補正値決定部３１ｄは、差分値ΔＰに基づく補正値ΔＱを出力する。差分値と補正値との関係は任意であって良い。例えば、補正値＝差分値×（−１）とすることが考えられる。これにさらに適当な係数を掛けるようにしても良い。また、差分値を平均ＳＩＲから目標ＳＩＲを差し引くことで求めるようにすれば、差分値をそのまま補正値として用いることができる。
【００４４】
補正値決定部３１ｄが補正値ΔＱを出力していると、加算部３１ｅにて上記補正値ΔＱが目標ＳＩＲに加算される。すなわち、目標ＳＩＲが補正値ΔＱにより補正される。すなわち、図３に示す波形１７のように、期間ＴＣにおいては目標ＳＩＲが平均ＳＩＲに近づけられる。そしてこのように補正された後の目標ＳＩＲが比較部３１ｆへと入力される。
【００４５】
かくして、比較部３１ｆにおいては受信ＳＩＲが目標ＳＩＲに追従している状態と同じ状態となり、過剰な下り送信電力変化を行わせるような状態でＴＰＣ情報の生成が行われることが抑止される。そして、フェージングに追従するため下り送信制御を行わせる状態でのＴＰＣ情報の生成は通常通りに行われる。
【００４６】
このように第１の実施形態によれば、一時的な伝送路品質の劣化に伴うバーストエラーが発生しているなどのために判定ＳＩＲが目標ＳＩＲに追従しないような受信条件下においても、基地局に対する過度な送信電力増大要求を行うことがない。この結果、他移動局に対する干渉の増大を回避し、高い周波数利用効率を安定的に実現できるようになる。
【００４７】
（第２の実施形態）
第２の実施形態の無線通信装置は、第１の実施形態の無線通信装置とほとんど同様な構成を持つ。ただし第２の実施形態の無線通信装置は、ＴＰＣモジュール３１に代えて図４に示す構成を持ったＴＰＣモジュール３４を備える。
【００４８】
図４はＴＰＣモジュール３４の構成を示すブロック図である。なお図４において図２と同一部分には同一符号を付し、その詳細な説明は省略する。
図４に示すようにＴＰＣモジュール３４は、受信ＳＩＲ判定部３１ａ、比較部３１ｆ、ＴＰＣ情報生成部３１ｇ、目標ＳＩＲ設定部３４ａおよび目標ＳＩＲ補正部３４ｂを含む。
【００４９】
目標ＳＩＲ設定部３４ａは、復号器３３から出力される受信ＣＲＣ情報に基づいて受信エラーレートを推定する。目標ＳＩＲ設定部３１ｂは、上記の推定した受信エラーレートと、通信開始にあたり予め網側により指定される目標エラーレートと、目標ＳＩＲ補正部３４ｂが１周期前の時刻に出力していた目標ＳＩＲとを考慮して目標ＳＩＲを可変設定する。
【００５０】
目標ＳＩＲ補正部３４ｂは、例えばプロセッサを含んで構成される。目標ＳＩＲ補正部３４ｂには、受信ＳＩＲ判定部３１ａから出力される受信ＳＩＲと目標ＳＩＲ設定部３１ｂより出力される目標ＳＩＲとがそれぞれ入力される。目標ＳＩＲ補正部３４ｂは、後述する処理により目標ＳＩＲを補正する。目標ＳＩＲ補正部３４ｂは、補正後の目標ＳＩＲを比較部３１ｆへ与える。
【００５１】
次に以上のように構成された第２の実施形態の無線通信装置の動作につき説明する。
【００５２】
目標ＳＩＲ設定部３４ａは、１周期前の時刻（ｋ−１）に目標ＳＩＲ補正部３４ｂが出力していた目標ＳＩＲを、現時刻（ｋ）にて新たに設定する目標ＳＩＲの基準を制御するために使用し、受信エラーレートは上記基準からの差分制御に使用する。すなわち、時刻（ｋ−１）にて目標ＳＩＲ補正部３４ｂが出力していた目標ＳＩＲを新たに設定する目標ＳＩＲとして反映後、この値を受信エラーレートから求めた相対ＳＩＲ量により制御する。
【００５３】
具体的には、例えば、時刻（ｋ−１）に目標ＳＩＲ補正部３４ｂが出力していた目標ＳＩＲの値をＸと表わす。また、時刻ｋにおいて受信エラーレートから計算されるＳＩＲの増減値をΔＸと表わす。このときに目標ＳＩＲ設定部３４ａは、基準値としてＸを設定後、増減値ΔＸを加味した値として時刻（ｋ）における目標ＳＩＲを設定する。従って目標ＳＩＲ設定部３４ａは、時刻（ｋ）における目標ＳＩＲをＸ＋ΔＸで求まる値として設定する。
【００５４】
図５は目標ＳＩＲ補正部３４ｂの処理のフローチャートである。目標ＳＩＲ補正部３４ｂは、スロット毎に図５に示す処理を実行する。
図５に示すように目標ＳＩＲ補正部３４ｂは、まずステップＳＴ１において、受信ＳＩＲ判定部３１ａから出力される受信ＳＩＲを取得する。受信ＳＩＲ判定部３１ａは、上りスロットフォーマット内にマッピングされた上り送信電力制御情報に判定結果を反映させるために、受信ＳＩＲをスロット毎に判定する。そこで目標ＳＩＲ補正部３４ｂは、このようにスロット毎に判定された新たな受信ＳＩＲを上記ステップＳＴ１にて取り込む。次に目標ＳＩＲ補正部３４ｂはステップＳＴ２において、目標ＳＩＲ設定部３４ａが出力する目標ＳＩＲを取得する。そして目標ＳＩＲ補正部３４ｂはステップＳＴ３において、目標ＳＩＲに対する受信ＳＩＲの差分値ΔＳＩＲを算出する。
【００５５】
目標ＳＩＲ補正部３４ｂはステップＳＴ４において、上記の差分値ΔＳＩＲが閾値ＳＩＲ＿ｔｈよりも大きいか否かを判断する。もし、この判断の結果が「ＮＯ」であるならば、目標ＳＩＲ補正部３４ｂはステップＳＴ５において、カウント値Ｃｏｕｎｔを１つ減少する。この上で目標ＳＩＲ補正部３４ｂはステップＳＴ６において、ステップＳＴ２で取得した目標ＳＩＲをそのまま出力する。すなわち目標ＳＩＲに対する受信ＳＩＲの差が小さいならば、目標ＳＩＲ補正部３４ｂは受信ＳＩＲが目標ＳＩＲに収束していると判断する。そしてこの場合に目標ＳＩＲ補正部３４ｂは、目標ＳＩＲ設定部３１ｂが出力する目標ＳＩＲを補正せずに比較部３１ｆへ与える。
【００５６】
ステップＳＴ４での判断の結果が「ＹＥＳ」である場合、目標ＳＩＲ補正部３４ｂはステップＳＴ７において、カウント値Ｃｏｕｎｔを１つ増加する。このように、カウント値Ｃｏｕｎｔは、差分値ΔＳＩＲが閾値ＳＩＲ＿ｔｈよりも大きかった場合に１つ増加され、差分値ΔＳＩＲが閾値ＳＩＲ＿ｔｈ以下であった場合に１つ減少される。つまりカウント値Ｃｏｕｎｔは、差分値ΔＳＩＲが閾値ＳＩＲ＿ｔｈよりも大きくなっている頻度が高い程大きな数値を示す。
【００５７】
目標ＳＩＲ補正部３４ｂはステップＳＴ８において、増加後のカウント値Ｃｏｕｎｔが閾値Ｃｏｕｎｔ＿ｔｈよりも大きいか否かを判断する。もし、この判断の結果が「ＮＯ」であるならば、目標ＳＩＲ補正部３４ｂはステップＳＴ６において、ステップＳＴ２で取得した目標ＳＩＲをそのまま出力する。すなわち目標ＳＩＲに対する受信ＳＩＲの差が大きくなっていたとしても、その頻度が小さいのであれば、目標ＳＩＲ補正部３４ｂは受信ＳＩＲが目標ＳＩＲに収束していると判断する。そしてこの場合に目標ＳＩＲ補正部３４ｂは、目標ＳＩＲ設定部３１ｂが出力する目標ＳＩＲを補正せずに比較部３１ｆへ与える。
【００５８】
ステップＳＴ８での判断の結果が「ＹＥＳ」である場合、目標ＳＩＲ補正部３４ｂはステップＳＴ９において、カウント値Ｃｏｕｎｔを「０」にクリアする。そして目標ＳＩＲ補正部３４ｂはステップＳＴ１０において、目標ＳＩＲの補正を行い、補正後の目標ＳＩＲを出力する。目標ＳＩＲの補正は、第１の実施形態と同様にして行うことができる。すなわち、目標ＳＩＲに対する受信ＳＩＲの差が大きくなっており、かつその頻度が大きくなっているのであれば、目標ＳＩＲ補正部３４ｂは受信ＳＩＲが目標ＳＩＲに収束できない状態に陥っていると判断する。このため目標ＳＩＲ補正部３４ｂは、補正した目標ＳＩＲを比較部３１ｆへ与える。
【００５９】
なお、閾値ＳＩＲ＿ｔｈおよび閾値Ｃｏｕｎｔ＿ｔｈに、受信ＳＩＲ判定部３１ａでの受信ＳＩＲの判定誤差や、インナループ制御およびアウタループ制御の応答特性等を考慮して予め適切な値を定めておく。
【００６０】
以上のように第２の実施形態によれば、一時的な伝送路品質の劣化に伴うバーストエラーが発生しているなどのために判定ＳＩＲが目標ＳＩＲに追従しないような受信条件下においても、基地局に対する過度な送信電力増大要求を行うことがない。この結果、他移動局に対する干渉の増大を回避し、高い周波数利用効率を安定的に実現できるようになる。
【００６１】
なお、本発明は前記各実施形態に限定されるものではない。例えば目標ＳＩＲの補正は別の方法により行うことも可能である。例えば、受信ＳＩＲが目標ＳＩＲに収束できていないと判断する直前まで目標ＳＩＲ設定部３１ｂが出力していた目標ＳＩＲを記憶しておき、これを補正後の目標ＳＩＲとして採用することができる。また別の方法として、受信ＳＩＲが目標ＳＩＲに収束していると判断している際に目標ＳＩＲ設定部３１ｂが出力していた目標ＳＩＲを長い期間に渡り収集しておき、この収集した目標ＳＩＲに基づいて適正な目標ＳＩＲを推定することが考えられる。上記の推定のためには、収集した目標ＳＩＲを平均化したり、時間的要素、移動速度、あるいは受信マルチパスの状態等の情報を考慮して学習を行うなどの方法が適用できる。
【００６２】
また前記第２の実施形態においては、差分値ΔＳＩＲが閾値ＳＩＲ＿ｔｈよりも大きくなった頻度の測定方法は適宜変更が可能である。一例としては、一定期間内において差分値ΔＳＩＲが閾値ＳＩＲ＿ｔｈよりも大きくなった回数をカウントする方法が考えられる。さらに別の方法としては、差分値ΔＳＩＲが閾値ＳＩＲ＿ｔｈよりも大きくなった回数と差分値ΔＳＩＲが閾値ＳＩＲ＿ｔｈ以下であった回数とを個別にカウントし、量カウント値の比率を算出することが考えられる。
【００６３】
このほか、本発明の要旨を逸脱しない範囲で種々の変形実施が可能である。
【００６４】
【発明の効果】
本発明によれば、実際のＳＩＲが目標値に追従することができない状況となった場合には、受信信号の誤り率に基づいて決定した目標値ではなく補正された目標値と判定されたＳＩＲとに基づいて送信電力情報が生成されるので、送信電力情報を常に適正な目標値に基づいて生成することができ、この結果、送信電力制御を適正化することが可能となる。
【図面の簡単な説明】
【図１】本発明の第１の実施形態に係る無線通信装置の構成を示すブロック図。
【図２】ＴＰＣモジュール３１の構成を示すブロック図。
【図３】ＴＰＣモジュール３１の各部の入出力信号の一例を示す図。
【図４】本発明の第２の実施形態におけるＴＰＣモジュール３４の構成を示すブロック図。
【図５】目標ＳＩＲ補正部３４ｂの処理のフローチャート。
【符号の説明】
１…アンテナ、２…ＲＦ部、３…ＣＤＭＡ処理部、４…圧縮伸長部、５…Ａ／Ｄ・Ｄ／Ａ変換部、６…通話部、７…ユーザインタフェース部、８…記憶部、９…主制御部、３１，３４…ＴＰＣモジュール、３１ａ…受信ＳＩＲ判定部、３１ｂ…目標ＳＩＲ設定部、３１ｃ…収束監視部、３１ｄ…補正値決定部、３１ｅ…加算部、３１ｆ…比較部、３１ｇ…ＴＰＣ情報生成部、３４ａ…目標ＳＩＲ設定部、３４ｂ…目標ＳＩＲ補正部、３２…相関器、３３…復号器。
【図１】
2004242148.tif 000003
【図２】
2004242148.tif 000004
【図３】
2004242148.tif 000005
【図４】
2004242148.tif 000006
【図５】
2004242148.tif 000007